【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器によって、媒体アクセス制御(MAC)ランダムアクセス応答(RAR)プロトコルデータユニット(PDU)データユニット(PDU)に対するダウンリンク割り当てを受信するステップであって、
前記ダウンリンク割り当ては、単一のアップリンクのインデックスに少なくとも部分的に基づいて計算されるランダムアクセス無線ネットワーク一時識別子(RA-RNTI)でスクランブルされ、
前記単一のアップリンクは、同じセルにおける単一のダウンリンクに対する複数のアップリンクのうちの1つであり、前記複数のアップリンクは、アップリンク(UL)および補助アップリンク(SUL)を含む、ステップと、
前記MAC RAR PDUを基地局から前記ユーザ機器によって受信するステップであって、
前記MAC RAR PDUが1つまたは複数のRARを含み、前記1つまたは複数のRARの各々が前記単一のアップリンクと関連付けられ、
前記MAC RAR PDUが、前記RA-RNTIと関連付けられ、
前記MAC RAR PDUが、前記単一のアップリンクと関連付けられたバックオフインジケータをさらに含む、ステップと、
前記ダウンリンク割り当てに基づいて、前記MAC RAR PDUが前記RA-RNTIに関連付けられていると前記ユーザ機器によって決定するステップと、
前記MAC RAR PDUと関連付けられた前記RA-RNTIに基づいて、前記バックオフインジケータが前記単一のアップリンクと関連付けられていると前記ユーザ機器によって決定するステップと、
前記バックオフインジケータに基づいてある時間期間の間、前記単一のアップリンクにアクセスするためにランダムアクセス手順を実行することを前記ユーザ機器によって控えるステップと、
前記時間期間の後に前記単一のアップリンクにアクセスするために前記ランダムアクセス手順を前記ユーザ機器によって実行するステップとを含む、方法。
【請求項２】
前記ダウンリンク割り当てが物理ダウンリンク制御チャネル(PDCCH)上で受信され、前記MAC RAR PDUが物理ダウンリンク共有チャネル(PDSCH)上で受信される、請求項1に記載の方法。
【請求項３】
ワイヤレス通信のための方法であって、
媒体アクセス制御(MAC)ランダムアクセス応答(RAR)プロトコルデータユニット(PDU)を基地局からユーザ機器によって受信するステップであって、
前記MAC RAR PDUが、複数のアップリンクと関連付けられた複数のRARを含み、
前記複数のアップリンクが、同じセルにおける単一のダウンリンクに対するものであり、前記複数のアップリンクがアップリンク(UL)および補助アップリンク(SUL)を含み、
前記複数のアップリンクの各アップリンクに対して、前記アップリンクと関連付けられた前記複数のRARのうちのRARが、別のアップリンクのRARが間に混在することなく前記MAC RAR PDUの中で複数のセグメントのうちの1つのセグメントに一緒にグループ化され、
各セグメントがそれに応じて前記複数のアップリンクのうちの1つのアップリンクと関連付けられ、
前記MAC RAR PDUが、前記複数のセグメントのうちの前記1つとそれぞれ関連付けられる複数のバックオフインジケータを含み、
前記複数のバックオフインジケータの各々が、その関連付けられたセグメントの前記MAC RAR PDU内の位置に対して前記MAC RAR PDU内に配置される、ステップと、
前記複数のアップリンクのうちの第1のアップリンクと関連付けられた前記MAC RAR PDU内の前記複数のセグメントのうちの第1のセグメントの位置に対する前記MAC RAR PDU内の前記複数のバックオフインジケータのうちの第1のバックオフインジケータの位置に基づいて、前記第1のバックオフインジケータが前記第1のアップリンクと関連付けられていると前記ユーザ機器によって決定するステップと、
前記第1のバックオフインジケータに基づいてある時間期間の間、前記第1のアップリンクにアクセスするためにランダムアクセス手順を実行することを前記ユーザ機器によって控えるステップと、
前記時間期間の後に前記第1のアップリンクにアクセスするために前記ランダムアクセス手順を前記ユーザ機器によって実行するステップとを含む、方法。
【請求項４】
前記第1のバックオフインジケータが、前記第1のセグメントの始端において配置される、もしくは
前記第1のバックオフインジケータが、前記第1のセグメントの後部もしくは内部のうちの一方において配置され、および/または
前記複数のセグメントの各々が、その関連付けられたアップリンクのインデックスに基づいて前記MAC RAR PDU内で順序付けられる、請求項3に記載の方法。
【請求項５】
ワイヤレス通信のための方法であって、
媒体アクセス制御(MAC)ランダムアクセス応答(RAR)プロトコルデータユニット(PDU)を基地局からユーザ機器によって受信するステップであって、
前記MAC RAR PDUが複数のMACサブヘッダを含み、前記複数のMACサブヘッダの各々が複数のバックオフインジケータのうちの異なるバックオフインジケータを含み、前記複数のMACサブヘッダの各々が複数のアップリンクのうちの異なるアップリンクのインジケータをさらに含み、
前記複数のアップリンクが、同じセルにおける単一のダウンリンクに対するものであり、前記複数のアップリンクがアップリンク(UL)および補助アップリンク(SUL)を含む、ステップと、
前記複数のMACサブヘッダのうちの第1のMACサブヘッダが前記複数のバックオフインジケータのうちの第1のバックオフインジケータおよび前記複数のアップリンクのうちの第1のアップリンクのインジケータを含むことに基づいて、前記第1のバックオフインジケータが前記第1のアップリンクと関連付けられていると前記ユーザ機器によって決定するステップと、
前記第1のバックオフインジケータに基づいてある時間期間の間、前記第1のアップリンクにアクセスするためにランダムアクセス手順を実行することを前記ユーザ機器によって控えるステップと、
前記時間期間の後に前記第1のアップリンクにアクセスするために前記ランダムアクセス手順を前記ユーザ機器によって実行するステップとを含む、方法。
【請求項６】
前記第1のMACサブヘッダが予約済みフィールドを含み、前記第1のアップリンクの前記インジケータが前記予約済みフィールド内に含まれる、および/または
前記複数のMACサブヘッダの各々が複数のアップリンクのうちの異なるアップリンクのインジケータをさらに含むことが、前記複数のMACサブヘッダの各々が複数のアップリンクのうちの異なるアップリンクのインデックスをさらに含むことを備える、請求項5に記載の方法。
【請求項７】
メモリと、
前記メモリに結合されたプロセッサとを備え、前記プロセッサが、
媒体アクセス制御(MAC)ランダムアクセス応答(RAR)プロトコルデータユニット(PDU)データユニット(PDU)に対するダウンリンク割り当てを受信するステップであって、
前記ダウンリンク割り当ては、単一のアップリンクのインデックスに少なくとも部分的に基づいて計算されるランダムアクセス無線ネットワーク一時識別子(RA-RNTI)でスクランブルされ、
前記単一のアップリンクは、同じセルにおける単一のダウンリンクに対する複数のアップリンクのうちの1つであり、前記複数のアップリンクは、アップリンク(UL)および補助アップリンク(SUL)を含む、ステップと、
前記MAC RAR PDUを基地局から受信することであって、
前記MAC RAR PDUが1つまたは複数のRARを含み、前記1つまたは複数のRARの各々が前記単一のアップリンクと関連付けられ、
前記MAC RAR PDUが、前記RA-RNTIと関連付けられ、
前記MAC RAR PDUが、前記単一のアップリンクと関連付けられたバックオフインジケータをさらに含む、受信することと、
前記ダウンリンク割り当てに基づいて、前記MAC RAR PDUが前記RA-RNTIに関連付けられていると決定することと、
前記MAC RAR PDUと関連付けられた前記RA-RNTIに基づいて、前記バックオフインジケータが前記単一のアップリンクと関連付けられていると決定することと、
前記バックオフインジケータに基づいてある時間期間の間、前記単一のアップリンクにアクセスするためにランダムアクセス手順を実行することを控えることと、
前記時間期間の後に前記単一のアップリンクにアクセスするために前記ランダムアクセス手順を実行することとを行うように構成される、
ユーザ機器。
【請求項８】
前記ダウンリンク割り当てが物理ダウンリンク制御チャネル(PDCCH)上で受信され、前記MAC RAR PDUが物理ダウンリンク共有チャネル(PDSCH)上で受信される、請求項7に記載のユーザ機器。
【請求項９】
メモリと、
前記メモリに結合されたプロセッサとを備え、前記プロセッサが、
媒体アクセス制御(MAC)ランダムアクセス応答(RAR)プロトコルデータユニット(PDU)を基地局から受信することであって、
前記MAC RAR PDUが、複数のアップリンクと関連付けられた複数のRARを含み、
前記複数のアップリンクが、同じセルにおける単一のダウンリンクに対するものであり、前記複数のアップリンクがアップリンク(UL)および補助アップリンク(SUL)を含み、
前記複数のアップリンクの各アップリンクに対して、前記アップリンクと関連付けられた前記複数のRARのうちのRARが、別のアップリンクのRARが間に混在することなく前記MAC RAR PDUの中で複数のセグメントのうちの1つのセグメントに一緒にグループ化され、
各セグメントがそれに応じて前記複数のアップリンクのうちの1つのアップリンクと関連付けられ、
前記MAC RAR PDUが、前記複数のセグメントのうちの前記1つとそれぞれ関連付けられる複数のバックオフインジケータを含み、前記複数のバックオフインジケータの各々が、その関連付けられたセグメントの前記MAC RAR PDU内の位置に対して前記MAC RAR PDU内に配置される、受信することと、
前記複数のアップリンクのうちの第1のアップリンクと関連付けられた前記MAC RAR PDU内の前記複数のセグメントのうちの第1のセグメントの位置に対する前記MAC RAR PDU内の前記複数のバックオフインジケータのうちの第1のバックオフインジケータの位置に基づいて、前記第1のバックオフインジケータが前記第1のアップリンクと関連付けられていると決定することと、
前記第1のバックオフインジケータに基づいてある時間期間の間、前記第1のアップリンクにアクセスするためにランダムアクセス手順を実行することを控えることと、
前記時間期間の後に前記第1のアップリンクにアクセスするために前記ランダムアクセス手順を実行することとを行うように構成される、
ユーザ機器。
【請求項１０】
前記第1のバックオフインジケータが、前記第1のセグメントの始端において配置される、もしくは
前記第1のバックオフインジケータが、前記第1のセグメントの後部もしくは内部のうちの一方において配置され、および/または
前記複数のセグメントの各々が、その関連付けられたアップリンクのインデックスに基づいて前記MAC RAR PDU内で順序付けられる、請求項9に記載のユーザ機器。
【請求項１１】
メモリと、
前記メモリに結合されたプロセッサとを備え、前記プロセッサが、
媒体アクセス制御(MAC)ランダムアクセス応答(RAR)プロトコルデータユニット(PDU)を基地局から受信することであって、
前記MAC RAR PDUが複数のMACサブヘッダを含み、前記複数のMACサブヘッダの各々が複数のバックオフインジケータのうちの異なるバックオフインジケータを含み、前記複数のMACサブヘッダの各々が複数のアップリンクのうちの異なるアップリンクのインジケータをさらに含み、
前記複数のアップリンクが、同じセルにおける単一のダウンリンクに対するものであり、前記複数のアップリンクがアップリンク(UL)および補助アップリンク(SUL)を含む、受信することと、
前記複数のMACサブヘッダのうちの第1のMACサブヘッダが前記複数のバックオフインジケータのうちの第1のバックオフインジケータおよび前記複数のアップリンクのうちの第1のアップリンクのインジケータを含むことに基づいて、前記第1のバックオフインジケータが前記第1のアップリンクと関連付けられていると決定することと、
前記第1のバックオフインジケータに基づいてある時間期間の間、前記第1のアップリンクにアクセスするためにランダムアクセス手順を実行することを控えることと、
前記時間期間の後に前記第1のアップリンクにアクセスするために前記ランダムアクセス手順を実行することとを行うように構成される、
ユーザ機器。
【請求項１２】
前記第1のMACサブヘッダが予約済みフィールドを含み、前記第1のアップリンクの前記インジケータが前記予約済みフィールド内に含まれる、および/または
前記複数のMACサブヘッダの各々が複数のアップリンクのうちの異なるアップリンクのインジケータをさらに含むことが、前記複数のMACサブヘッダの各々が複数のアップリンクのうちの異なるアップリンクのインデックスをさらに含むことを備える、請求項11に記載のユーザ機器。
【請求項１３】
ユーザ機器にワイヤレス通信のための方法を実行させるための命令が記憶されたコンピュータ可読媒体であって、前記方法が、
前記ユーザ機器によって、媒体アクセス制御(MAC)ランダムアクセス応答(RAR)プロトコルデータユニット(PDU)データユニット(PDU)に対するダウンリンク割り当てを受信するステップであって、
前記ダウンリンク割り当ては、単一のアップリンクのインデックスに少なくとも部分的に基づいて計算されるランダムアクセス無線ネットワーク一時識別子(RA-RNTI)でスクランブルされ、
前記単一のアップリンクは、同じセルにおける単一のダウンリンクに対する複数のアップリンクのうちの1つであり、前記複数のアップリンクは、アップリンク(UL)および補助アップリンク(SUL)を含む、ステップと、
前記MAC RAR PDUを基地局から前記ユーザ機器によって受信するステップであって、
前記MAC RAR PDUが1つまたは複数のRARを含み、
前記1つまたは複数のRARの各々が前記単一のアップリンクと関連付けられ、前記MAC RAR PDUが、前記RA-RNTIと関連付けられ、
前記MAC RAR PDUが、前記単一のアップリンクと関連付けられたバックオフインジケータをさらに含む、ステップと、
前記ダウンリンク割り当てに基づいて、前記MAC RAR PDUが前記RA-RNTIに関連付けられていると前記ユーザ機器によって決定するステップと、
前記MAC RAR PDUと関連付けられた前記RA-RNTIに基づいて、前記バックオフインジケータが前記単一のアップリンクと関連付けられていると前記ユーザ機器によって決定するステップと、
前記バックオフインジケータに基づいてある時間期間の間、前記単一のアップリンクにアクセスするためにランダムアクセス手順を実行することを前記ユーザ機器によって控えるステップと、
前記時間期間の後に前記単一のアップリンクにアクセスするために前記ランダムアクセス手順を前記ユーザ機器によって実行するステップとを含む、コンピュータ可読媒体。
【請求項１４】
ユーザ機器にワイヤレス通信のための方法を実行させるための命令が記憶されたコンピュータ可読記憶媒体であって、前記方法が、
媒体アクセス制御(MAC)ランダムアクセス応答(RAR)プロトコルデータユニット(PDU)を基地局から前記ユーザ機器によって受信するステップであって、
前記MAC RAR PDUが、複数のアップリンクと関連付けられた複数のRARを含み、
前記複数のアップリンクが、同じセルにおける単一のダウンリンクに対するものであり、前記複数のアップリンクがアップリンク(UL)および補助アップリンク(SUL)を含み、
前記複数のアップリンクの各アップリンクに対して、前記アップリンクと関連付けられた前記複数のRARのうちのRARが、別のアップリンクのRARが間に混在することなく前記MAC RAR PDUの中で複数のセグメントのうちの1つのセグメントに一緒にグループ化され、
各セグメントがそれに応じて前記複数のアップリンクのうちの1つのアップリンクと関連付けられ、
前記MAC RAR PDUが、前記複数のセグメントのうちの前記1つとそれぞれ関連付けられる複数のバックオフインジケータを含み、前記複数のバックオフインジケータの各々が、その関連付けられたセグメントの前記MAC RAR PDU内の位置に対して前記MAC RAR PDU内に配置される、ステップと、
前記複数のアップリンクのうちの第1のアップリンクと関連付けられた前記MAC RAR PDU内の前記複数のセグメントのうちの第1のセグメントの位置に対する前記MAC RAR PDU内の前記複数のバックオフインジケータのうちの第1のバックオフインジケータの位置に基づいて、前記第1のバックオフインジケータが前記第1のアップリンクと関連付けられていると前記ユーザ機器によって決定するステップと、
前記第1のバックオフインジケータに基づいてある時間期間の間、前記第1のアップリンクにアクセスするためにランダムアクセス手順を実行することを前記ユーザ機器によって控えるステップと、
前記時間期間の後に前記第1のアップリンクにアクセスするために前記ランダムアクセス手順を前記ユーザ機器によって実行するステップとを含む、コンピュータ可読記憶媒体。
【請求項１５】
ユーザ機器にワイヤレス通信のための方法を実行させるための命令が記憶されたコンピュータ可読記憶媒体であって、前記方法が、
媒体アクセス制御(MAC)ランダムアクセス応答(RAR)プロトコルデータユニット(PDU)を基地局から前記ユーザ機器によって受信するステップであって、
前記MAC RAR PDUが複数のMACサブヘッダを含み、前記複数のMACサブヘッダの各々が複数のバックオフインジケータのうちの異なるバックオフインジケータを含み、前記複数のMACサブヘッダの各々が複数のアップリンクのうちの異なるアップリンクのインジケータをさらに含み、
前記複数のアップリンクが、同じセルにおける単一のダウンリンクに対するものであり、前記複数のアップリンクがアップリンク(UL)および補助アップリンク(SUL)を含む、ステップと、
前記複数のMACサブヘッダのうちの第1のMACサブヘッダが前記複数のバックオフインジケータのうちの第1のバックオフインジケータおよび前記複数のアップリンクのうちの第1のアップリンクのインジケータを含むことに基づいて、前記第1のバックオフインジケータが前記第1のアップリンクと関連付けられていると前記ユーザ機器によって決定するステップと、
前記第1のバックオフインジケータに基づいてある時間期間の間、前記第1のアップリンクにアクセスするためにランダムアクセス手順を実行することを前記ユーザ機器によって控えるステップと、
前記時間期間の後に前記第1のアップリンクにアクセスするために前記ランダムアクセス手順を前記ユーザ機器によって実行するステップとを含む、コンピュータ可読記憶媒体。